(57)【要約】【課題】靴や籠手などを良好に消臭することができる消臭装置を提供すること。【解決手段】本発明では、靴や籠手などの身体の一部を挿入するための袋状部(9,10)を有する対象物(7,8)を消臭する消臭装置(1)において、光触媒を付着させた対象物(7,8)の袋状部(9,10)に挿入するための挿入体(3,4)に、可視光を照射するための照射体(5,6)を設け、対象物(7,8)の袋状部(9,10)に挿入体(3,4)を挿入するとともに袋状部(9,10)に向けて照射体(5,6)から可視光を照射することで光触媒による消臭を行うことにした。また、本発明では、前記照射体(5,6)から袋状部(9,10)に向けて可視光を点滅させて照射することにした。さらに、本発明では前記挿入体(3,4)が対象物(7,8)の袋状部(9,10)の内部形状に倣って変形可能であることにした。【選択図】図１
2019141299.tif 000002
【特許請求の範囲】
【請求項１】
靴や籠手などの身体の一部を挿入するための袋状部を有する対象物を消臭する消臭装置において、
光触媒を付着させた対象物の袋状部に挿入するための挿入体に、可視光を照射するための照射体を設け、対象物の袋状部に挿入体を挿入するとともに袋状部に向けて照射体から可視光を照射することで光触媒による消臭を行うことを特徴とする消臭装置。
【請求項２】
前記照射体から袋状部に向けて可視光を点滅させて照射することを特徴とする請求項１に記載の消臭装置。
【請求項３】
前記挿入体が対象物の袋状部の内部形状に倣って変形可能であることを特徴とする請求項１又は請求項２に記載の消臭装置。
【発明の詳細な説明】
【技術分野】
【０００１】
本発明は、靴や籠手などの身体の一部を挿入するための袋状部を有する対象物を光触媒の作用で消臭する消臭装置に関するものである。
【背景技術】
【０００２】
身体に装着する靴や籠手などは、身体と密着して使用されるために、使用時に身体表面の汗や体臭などが内部に付着してしまい、悪臭の発生や雑菌の増殖などを起こしている。特に、身体に装着して使用される靴や籠手などでは、手や足などの身体の一部を挿入するために袋状に形成されている部分（袋状部）が設けられているために、袋状部の内部で悪臭が籠りやすくなっている。
【０００３】
この悪臭対策として、従来においては、光触媒を内部に予め塗布した履物類が開発されており（たとえば、特許文献１参照。）、或は、光触媒を含有する消臭スプレーを内部に塗布することが行われている。
【先行技術文献】
【特許文献】
【０００４】
【特許文献１】特開２００７−１１１３３３号公報
【発明の概要】
【発明が解決しようとする課題】
【０００５】
ところが、靴や籠手などの袋状部を有する物では、内部に光触媒を塗布しても、光触媒を活性化させる紫外線等の光が袋状部の奥にまで十分に届かない。
【０００６】
そのため、従来のように内部に光触媒を塗布するだけでは、光触媒による消臭効果が良好に得られないおそれがある。
【課題を解決するための手段】
【０００７】
そこで、請求項１に係る本発明では、靴や籠手などの身体の一部を挿入するための袋状部を有する対象物を消臭する消臭装置において、光触媒を付着させた対象物の袋状部に挿入するための挿入体に、可視光を照射するための照射体を設け、対象物の袋状部に挿入体を挿入するとともに袋状部に向けて照射体から可視光を照射することで光触媒による消臭を行うことにした。
【０００８】
また、請求項２に係る本発明では、前記請求項１に係る本発明において、前記照射体から袋状部に向けて可視光を点滅させて照射することにした。
【０００９】
また、請求項３に係る本発明では、前記請求項１又は請求項２に係る本発明において、前記挿入体が対象物の袋状部の内部形状に倣って変形可能であることにした。
【発明の効果】
【００１０】
そして、本発明では、以下に記載する効果を奏する。
【００１１】
すなわち、本発明では、靴や籠手などの身体の一部を挿入するための袋状部を有する対象物を消臭する消臭装置において、光触媒を付着させた対象物の袋状部に挿入するための挿入体に、可視光を照射するための照射体を設け、対象物の袋状部に挿入体を挿入するとともに袋状部に向けて照射体から可視光を照射することで光触媒による消臭を行うことにしているために、袋状部の奥まで光を照射することができ、光触媒による消臭効果を良好に得ることができ、しかも、可視光を用いることで安全かつ安価な消臭装置とすることができる。
【００１２】
特に、前記照射体から袋状部に向けて可視光を点滅させて照射することにした場合には、消臭装置が稼働して消臭を行っている途中であることを容易に知らせることができる。
【００１３】
また、前記挿入体が対象物の袋状部の内部形状に倣って変形可能であることにした場合には、袋状部の内部形状にかかわらず挿入体を袋状部の内部に挿入することができ、幅広く対象物を良好に消臭することができる。
【図面の簡単な説明】
【００１４】
【図１】本発明に係る消臭装置を示す説明図。
【発明を実施するための形態】
【００１５】
以下に、本発明に係る消臭装置の具体的な構成について図面を参照しながら説明する。なお、以下の説明では、手や足などの身体の一部を挿入するために袋状に形成されている部分（袋状部）が設けられている物（消臭の対象物）として、靴を例に挙げて説明しているが、対象物は、これに限られず、各種の履物類や靴下や手袋などの各種の被服類や剣道等で用いられる籠手や面などの各種の防具などであってもよい。
【００１６】
図１に示すように、消臭装置１は、本体２の左右両側に挿入体3,4を取付けるとともに、挿入体3,4に照射体5,6を取付けている。
【００１７】
この消臭装置１は、予め光触媒を付着させた対象物7,8の袋状部9,10に挿入体3,4を挿入した後に、照射体5,6から光を照射することで、袋状部9,10に付着する光触媒を活性化させ、光触媒の作用で袋状部9,10の消臭を行う。
【００１８】
消臭装置１の本体２は、内部に電源や駆動回路やスイッチなどを収容しており、左右の側壁に挿入体3,4の基端部を接続している。
【００１９】
挿入体3,4は、中空部を有するパイプ形状となっており、中空部（内部）に電力を供給するための電源コードが収容されている。
【００２０】
この挿入体3,4は、プラスチック製パイプや金属製パイプなどの剛性を有する素材を用いて変形不能な構造としてもよく、ビニール製パイプやゴム製パイプなどの可撓性を有する素材を用いて変形可能（屈曲可能）な構造としてもよく、さらには、金属製リングを蛇腹状に連結させたフレキシブルパイプなどの変形が可能で変形後の形状を維持する構造としてもよい。挿入体3,4を変形が不能な構造や変形後の形状を維持する構造とした場合には、挿入体3,4に対象物7,8被せるようにすることで袋状部9,10に挿入体3,4を挿入することができ、その状態で対象物7,8を挿入体3,4によって保持することができる。また、挿入体3,4を変形が可能な構造とした場合には、対象物7,8の袋状部9,10の内部形状に倣って挿入体3,4を変形させながら挿入体3,4を対象物7,8の袋状部9,10に挿入することができる。
【００２１】
また、挿入体3,4は、１個でもよく、２個で左右一対としてもよく、３個以上としてもよい。挿入体3,4を複数個設けた場合には、複数の対象物7,8を一緒に消臭することができ、特に、左右一対とした場合には、靴などのように左右同時に使用される左右一対の対象物7,8を忘れることなく一緒に消臭することができる。
【００２２】
また、挿入体3,4は、基端部が本体２に接続されており、先端部に照射体5,6を接続している。なお、挿入体3,4は、本体２や照射体5,6に着脱自在に接続するようにして、交換可能な構成とすることもできる。また、挿入体3,4は、先端部だけでなく中途部にも１又は複数の照射体5,6を設けてもよい。
【００２３】
照射体5,6は、内部に可視光（青色光）を発光するＬＥＤが収容されており、基端部が挿入体3,4に接続されており、先端部から先方に向けて可視光を照射するようになっている。なお、照射体5,6に収容されたＬＥＤは、挿入体3,4に収容された電源コードを介して本体２に収容された電源に接続されており、本体２に収容された駆動回路によって所定時間連続して可視光を照射するように駆動制御される。ここでは、波長400nmの青色光を10秒間に18回点滅させるようにしている。
【００２４】
この照射体5,6は、先端部から前方に向けて可視光を照射するだけでなく、外周部や基端部から側方や後方に向けても可視光を照射するようにしてもよい。また、複数の照射体5,6から同時に可視光を照射してもよく、交互に照射するようにしてもよい。
【００２５】
なお、照射体5,6に光触媒を噴霧するノズル（噴霧口）を形成するとともに、本体２に光触媒を貯留するタンクやポンプを収容し、タンク及びポンプとノズルとを挿入体3,4に収容したチューブを介して接続することなどによって、照射体5,6から光触媒の噴霧と可視光の照射とをあわせて行えるように構成することもできる。
【００２６】
以上に説明したように、上記消臭装置１は、光触媒を付着させた対象物7,8の袋状部9,10に挿入するための挿入体3,4に、可視光を照射するための照射体5,6を設け、対象物7,8の袋状部9,10に挿入体5,6を挿入するとともに袋状部9,10に向けて照射体5,6から可視光を照射することで光触媒による消臭を行う構成となっている。
【００２７】
そのため、上記構成の消臭装置１では、挿入体5,6を用いて照射体5,6を袋状部9,10の奥まで挿入することができるので、袋状部9,10の奥まで光を照射することができ、光触媒による消臭効果を良好に得ることができる。
【００２８】
しかも、上記構成の消臭装置１では、照射体5,6から照射する光として可視光を用いているために、安全かつ安価な消臭装置１とすることができる。
【００２９】
また、上記消臭装置１では、照射体5,6から袋状部9,10に向けて可視光を点滅させて照射する構成となっている。
【００３０】
そのため、上記構成の消臭装置１では、消臭装置１が稼働して消臭を行っている途中であることを容易に知らせることができ、使用途中で誤って電源を切断してしまうなどといったことのないように注意喚起することができる。
【００３１】
また、上記消臭装置１は、挿入体3,4が対象物7,8の袋状部9,10の内部形状に倣って変形可能な構成となっている。
【００３２】
そのため、上記構成の消臭装置１では、袋状部9,10の内部形状にかかわらず挿入体3,4を袋状部9,10の内部に挿入することができ、様々な形状や種類の対象物7,8を幅広く良好に消臭することができる。
【００３３】
また、上記消臭装置１は、電源を収容するための本体２に、左右一対の挿入体3,4を設けて、左右の照射体5,6から左右一対の対象物7,8の袋状部9,10に向けて可視光を照射可能な構成となっている。
【００３４】
そのため、上記構成の消臭装置１では、両手や両足に装着される左右一対の靴や籠手などを左右一緒に（同時に）消臭することができる。
【符号の説明】
【００３５】
１  消臭装置                          ２  本体
3,4  挿入体                           5,6  照射体
7,8  対象物                           9,10  袋状部
【図１】
2019141299.tif 000003